(57)【要約】【課題】  足首治療用サポーターを足首に装着する場合に、サポーターと足首の間を密着状に固定して、最適な状態で患部の治療を行うことができるようにしたサポーターの固定具を提供する。【解決手段】  短尺の帯状に形成した本体部２と、その本体部２の背面に固着した面ファスナー製の係着部３とを備えたサポーターの固定具１であって、その本体部２と係着部３との間にバネ材５を内設するとともに、その下半部に、外側に向けた緩やかな湾曲状に形成した踝受け部１Ａを設けた構成とする。【選択図】図１
2020151438.tif 000002
【特許請求の範囲】
【請求項１】
やや短尺の帯状に形成された本体部と、前記本体部の背面側に固着された係着部とを備え、且つその係着部が面ファスナーによって形成された形状のサポーターの固定具であって、前記した本体部と係着部との間に細長帯状のバネ材を内設するとともに、その固定具の下半部に、外方に向けて緩やかな湾曲状を成すように形成した踝受け部を設けて構成したことを特徴とする足首治療用サポーターの固定具。
【発明の詳細な説明】
【技術分野】
【０００１】  本発明は、同一形状に形成した２個を一組として、その２個のそれぞれを、サポーターの両側部に相対向状に係着して使用する形態のサポーターの固定具に係るものであり、さらに詳しくは、足首の捻挫や外傷等の治療に使用するサポーターを治療対象者の足首に装着した場合に、個々の足首の形状に対応して、最適な状態でサポーターを固定可能に形成した足首治療用サポーターの固定具に関するものである。
【背景技術】
【０００２】  従来より、骨折などを治療する際に使用される固定具として、ギブスやコルセットに永久磁石を取付けるように構成した患部固定具があった（特許文献１参照）。また足首関節部の靭帯を適切に保護及び固定するために、サポーター自体に伸長応力を付与した形状の足首用サポーターも提案されている（特許文献２参照）。【０００３】  しかしながら、上記した特許文献１の発明は、治療部位が身体各所に亘るとともに、固定部材がギブスやコルセットであって、足首の治療に限定して用いられるサポーターの使用を想定したものではなかった。また、上記した特許文献２の発明は、サポーター自体の発明であって、サポーターとは別体に設けることで、どのような形状のサポーターにも対応可能な固定具は、未だ提案されていなかった。【０００４】  上述の如く、足首の治療に限定して用いられるサポーターを、別体の固定具を用いて、最適な状態で固定する形態のものは未だ提案されていなかったので、現在の一般的な治療現場などでは、硬質の合成樹脂を用いて小型の靴べら状に形成し、且つその背面の一部に面ファスナーを固着した形状のものが固定具として汎用されている。またその他の固定具として、スパイラルバネを用いて形成されたものも使用されている。【０００５】  しかしながら、上述のような固定具を使用した場合は、いずれの固定具も弾力性が付与されておらず、且つ治療対象者の足首の形状への対応が不充分なため、足首とサポーターの間に遊びができて、ぴったりとフィットさせることができないという欠点があった。【０００６】  また上記した従来品は、いずれも製造価格が高額になるとともに、材質が重くて、治療を要する足首にかかる負担が大きいという重大な問題点があった。
【先行技術文献】
【特許文献】
【０００７】
【特許文献１】特開昭５５−７３２５７号公報
【特許文献２】特開２０１０−１３１０６７号公報
【発明の概要】
【発明が解決しようとする課題】
【０００８】  本発明は、上記のような足首治療用サポーターの固定具が有する欠点や問題点を解決するために発明されたものであって、使用する固定具に弾力性を付与して形成し、且つその固定具の下半部を足の踝の形状に合わせた構造とすることにより、サポーターを最適な状態で足首に固定して、患部の治療を行うことができるようするとともに、軽量で安価に製造可能な足首治療用サポーターの固定具を提供しようとするものである。
【課題を解決するための手段】
【０００９】  上記した課題を解決すべく、本発明は以下のような技術的手段を講ずるものである。
すなわち本発明は、やや短尺の帯状に形成された本体部と、前記本体部の背面側に固着された係着部とを備え、且つその係着部が面ファスナーによって形成された形状のサポーターの固定具であって、前記した本体部と係着部との間に細長帯状のバネ材を内設するとともに、その固定具の下半部に、外方に向けて緩やかな湾曲状を成すように形成した踝受け部を設けて構成したことを特徴とする足首治療用サポーターの固定具である。
【発明の効果】
【００１０】  本発明に成る足首治療用サポーターの固定具を、治療対象者の足首に装着されたサポーターに取付けた場合に、緩やかな湾曲状に形成された踝受け部と、内部に収容したバネ材の働きによって、サポーターと足首の間に遊びがなくなり、患部を最適な状態で保護しながら治療を行うことができるという多大な効果を奏するものである。【００１１】  また本発明品は、硬質の合成樹脂や鋼材等で製造された従来品と比較して軽量であるため、患部への負担を軽減することが可能であるとともに、安価に製造することができるという多大な利点がある。【００１２】  さらに本発明の固定具はサポーターとは別体に製造されるもので、所定のサポーターに添えて提供されるか、または固定具のみが単独で提供されるようになっているので、サポーターの表面が面ファスナーと係着可能な素材で形成されているものであれば、異なるメーカーの様々な形状のサポーターにも使用することができるという特筆すべき長所を有するものである。
【図面の簡単な説明】
【００１３】
【図１】本発明の足首治療用サポーターの固定具の斜視図である。
【図２】本発明の足首治療用サポーターの固定具の一部切欠背面図である。
【図３】本発明の足首治療用サポーターの固定具の側面図である。
【図４】図２のＡ−Ａ線切断部の拡大断面図である。
【図５】（イ）および（ロ）は、他の実施例の固定具を示す正面図である。
【図６】本発明の使用状態を示す正面図である。
【発明を実施するための形態】
【００１４】  以下に、本発明の一実施形態を図面に基づいて説明するが、本発明に成る足首治療用サポーターの固定具（以下、単に固定具と称する）は、同一形状に形成された２個を一組として製造し、その固定具をサポーターの左右の側面にそれぞれ相対向状に取付けて使用する形態のものである。したがって、治療対象者の片足のみにサポーターを装着する場合は一組のみを、両足にサポーターを装着する場合は二組を使用するものである。
【００１５】  図１は、本発明の固定具の外観を示すもので、表面側を占める本体部２と、該本体部２の背面側に固着された係着部３と、該本体部２の上面部に固着された交差バンド用係着部４とにより構成されている。
【００１６】  上記した本体部２は、図１に示すように、やや柔軟性を有する合成皮革または合成樹脂を用いて、短尺の帯状に形成されたものであり、また前記本体部２と同一形状に形成された係着部３は、その全面に亘って雄状面ファスナーを用いて形成されたものである。この場合における係着部３は、後述のように、治療対象者の足首に装着されたサポーターＳの表面側が、該係着部３の雄状面ファスナーと係着可能な材質で形成されているので、本発明の固定具１を、図６に示すように、サポーターＳの任意な側面に取付け可能となっているのである。なお交差バンド用係着部４は、サポーターＳに交差バンドが設けてある場合に、その交差バンドを係着するために設けられものであり、交差バンドが設けてないサポーターの場合は使用されるものではない。
【００１７】  また、前記本体部２と係着部３の間には、図２および図４に示すように、細長い帯状のバネ材５が内部中央を縦断するように配設されている。このバネ材５は、本発明では板バネが用いられているが、板バネに代えて、弾力性を有するアルミ材などを用いることも可能である。
【００１８】  さらに上記のように設けられた本発明の固定具１は、図１および図３に示すように、その上半部が垂直状に形成され、且つその下半部には、人の踝の形状に合わせて、外方に向かって緩やかな湾曲状を成す踝受け部１Ａが形成されている。
【００１９】  このように本発明の固定具１は、本体部２と係着部３の間にバネ材５が内設され、且つその下半部に踝受け部１Ａが形成されていて、このバネ材５と踝受け部１Ａの働きによって、サポーターＳを治療対象者の足首にぴったりと密着させることができるので、サポーターを最適な形態で装着することが可能となっているのである。
【００２０】  次に、図５を参照しながら、本発明の他の実施形態を説明する。
図５（イ）は、固定具１における本体部２の全面に亘って多数の小孔６が形成されたもので、固定具の柔軟性がより高められた構造になっており、この固定具をサポーターＳに係着した場合には、患部の保護および治療をより柔軟に行うことが可能となっている。
【００２１】  また、図５（ロ）は、係着部３を本体部２の下端よりも下方に延長して設けた形状のもので、図１〜図４に示した固定具１よりも、サポーターＳへの固定力をさらに高めた構造となっている。
【００２２】  なお、その下面に交差バンドを取付けた形状のサポーターＳ（図示しない）を使用して、より重症の患部に装着する場合には、そのサポーターＳの交差バンドを左右に交差させながら、前述した交差バンド用係着部４に係着するようにすると、さらに強い固定力を発揮できるようになっている。
【００２３】  以上のように構成された本発明の固定具を使用する場合は、図６に示すように、サポーターＳを治療対象者の足首に装着した後、サポーターＳの左右の側面に、２個の固定具１を相対向状に係着するようにする。なおこの際に、踝受け部１Ａが、人の踝を覆うような形態で固定具１を取付けるものとする。
【００２４】  本発明に成る足首治療用サポーターの固定具は、やや柔軟性を有する素材を用いて短尺の帯状に形成された本体部２の背面側に、雄状面ファスナーよりなる係着部３が固着されており、且つその両者の間にバネ材５が内設された形状となっており、さらにその下半部が人の踝に対応した湾曲形状に形成されているので、治療対象者の足首に装着したサポーターＳに対して、ぴったりと密着して固定させることができるようになっている。したがって、従来品の欠点であった足首とサポーター間に生じた遊びがなくなり、サポーターＳを患部に対して最適な状態で装着させることが可能となったのである。
【符号の説明】
【００２５】      １  固定具
１Ａ  踝受け部
２  本体部
３  係着部
４  交差バンド用係着部
５  バネ材
６  小孔
【図１】
2020151438.tif 000003
【図２】
2020151438.tif 000004
【図３】
2020151438.tif 000005
【図４】
2020151438.tif 000006
【図５】
2020151438.tif 000007
【図６】
2020151438.tif 000008